(57)【要約】【課題】メンテナンスが容易で、位置調整可能な押しボタンスイッチを提供する。【解決手段】押しボタンスイッチが、箱形のベース（１０）と、ベース（１０）の底面から突出し、ベース基板に取り付けたときにベース基板の固定接点部と接触する接続端子（３０）と、ベース（１０）を覆う操作カバー（７０）と、操作カバー（７０）から突出し、押し込み可能に配置された押しボタン（８０）と、ベース基板に着脱可能に取り付けるためのスイッチ取付部（７３）とを備えている。押しボタンスイッチをベース基板に取り付けたときに、スイッチ取付部（７３）とベース基板との間に、ベース基板の延在方向に移動可能な遊びを有している。【選択図】図４
2016004767.tif 000002
【特許請求の範囲】
【請求項１】
固定接点部を有するベース基板に取り付けられる押しボタンスイッチであって、
箱形のベースと、
前記ベースの底面から突出し、前記ベース基板に取り付けたときに前記ベース基板の固定接点部と接触する接続端子と、
前記ベースを覆う操作カバーと、
前記操作カバーから突出し、押し込み可能に配置された押しボタンと、
前記ベース基板に着脱可能に取り付けるためのスイッチ取付部と
を備え、
前記ベース基板に取り付けたときに、前記スイッチ取付部と前記ベース基板との間に、前記ベース基板の延在方向に移動可能な遊びを有することを特徴とする押しボタンスイッチ。
【請求項２】
前記ベース基板に取り付けたときに、前記ベース基板を覆うパネルで位置規制されることを特徴とする、請求項１に記載の押しボタンスイッチ。
【請求項３】
前記スイッチ取付部が、前記操作カバーに設けられていることを特徴とする、請求項１または２に記載の押しボタンスイッチ。
【請求項４】
前記接続端子および前記ベース基板の固定接点部が、前記ベース基板の延在方向に移動しても相互に接触可能な接触面積を有していることを特徴とする、請求項１から３のいずれか１項に記載の押しボタンスイッチ。
【請求項５】
複数の請求項１から４のいずれか１項に記載の押しボタンスイッチが、整列して配置されていることを特徴とするスイッチユニット。
【発明の詳細な説明】
【技術分野】
【０００１】
本発明は、押しボタンスイッチに関する。
【背景技術】
【０００２】
従来、押しボタンスイッチとしては、例えば、特許文献１に記載された照光押しボタンスイッチがある。この照光押しボタンスイッチは、上面が開口した箱形のベースと、このベースの開口を覆う押しボタンと、ベース内に配置された回動リンク機構を備えている。そして、この回動リンク機構によって、押しボタンが傾かずに安定して操作できるようにしている。
【先行技術文献】
【特許文献】
【０００３】
【特許文献１】国際公開第２０１０／０９２６７９号明細書
【発明の概要】
【発明が解決しようとする課題】
【０００４】
しかしながら、前述の押しボタンスイッチは、例えばエレベータスイッチとして用いる場合、エレベータスイッチのベース基板に一体に固定される。このため、押しボタンスイッチを容易に取り外すことができず、メンテナンスが困難であるという問題があった。
【０００５】
また、押しボタンスイッチとエレベータスイッチ等のベース基板とを一体化するため、押しボタンスイッチの取り付けに高い位置決め精度が必要になるという問題があった。
【０００６】
本発明は、前述の問題に鑑み、メンテナンスが容易で、位置調整可能な押しボタンスイッチを提供することを課題とする。
【課題を解決するための手段】
【０００７】
本発明の押しボタンスイッチは、前述の問題に鑑み、固定接点部を有するベース基板に取り付けられる押しボタンスイッチであって、箱形のベースと、前記ベースの底面から突出し、前記ベース基板に取り付けたときに前記ベース基板の固定接点部と接触する接続端子と、前記ベースを覆う操作カバーと、前記操作カバーから突出し、押し込み可能に配置された押しボタンと、前記ベース基板に着脱可能に取り付けるためのスイッチ取付部とを備え、前記ベース基板に取り付けたときに、前記スイッチ取付部と前記ベース基板との間に、前記ベース基板の延在方向に移動可能な遊びを有することを特徴としている。
【発明の効果】
【０００８】
本発明によれば、ベースの底面から突出し、ベース基板に取り付けたときにベース基板の固定接点部と接触する接続端子と、前記ベース基板に着脱可能に取り付けるためのスイッチ取付部とを備えている。このため、押しボタンスイッチを独立してベース基板に着脱することができるので、押しボタンスイッチのメンテナンスを容易に行える。
【０００９】
また、押しボタンスイッチをベース基板に取り付けたときに、スイッチ取付部とベース基板との間に、ベース基板の延在方向に移動可能な遊びを有している。このため、押しボタンスイッチをベース基板に取り付けた後に、押しボタンスイッチの位置調整ができるので、押しボタンスイッチの位置決め精度を厳しく管理する必要がなく、製造コストを低減できる。
【００１０】
本発明の実施形態としては、前記ベース基板に取り付けたときに、前記ベース基板を覆うパネルで位置規制される構成としてもよい。
【００１１】
本実施形態によれば、押しボタンスイッチをベース基板に取り付けたときに、ベース基板を覆うパネルで位置規制されるので、スイッチ取付部をベース基板に取り付けたときにスイッチ取付部とベース基板との間に遊びを有していても、押しボタンスイッチの位置決め精度を高めることができる。
【００１２】
本発明の実施形態としては、前記スイッチ取付部が、前記操作カバーに設けられている構成としてもよい。
【００１３】
本実施形態によれば、スイッチ取付部が操作カバーに設けられている。操作カバーはベース基板に取り付けられるので、例えばベースと操作カバーとが固定されていなくても、操作カバーによりベースを支持でき、押しボタンスイッチの構造を簡略化できる。
【００１４】
本発明の実施形態としては、前記接続端子および前記ベース基板の固定接点部が、前記ベース基板の延在方向に移動しても相互に接触可能な接触面積を有している構成としてもよい。
【００１５】
本実施形態によれば、接触安定性の高い押しボタンスイッチを得ることができる。
【００１６】
本発明のスイッチユニットは、複数の前記押しボタンスイッチが、整列して配置されていることを特徴としている。
【００１７】
本発明によれば、スイッチユニットの設計の自由度が広がり、様々な用途に対応できる。
【図面の簡単な説明】
【００１８】
【図１】本発明の一実施形態の押しボタンスイッチを示す斜視図である。
【図２】図１の押しボタンスイッチの他の斜視図である。
【図３】図１の押しボタンスイッチの断面図である。
【図４】図１の押しボタンスイッチの分解斜視図である。
【図５】図１の押しボタンスイッチの他の分解斜視図である。
【図６】図１の押しボタンスイッチの動作を説明するための断面模式図である。
【図７】図１の押しボタンスイッチの動作を説明するための他の断面模式図である。
【図８】本発明の一実施形態のスイッチユニットの分解斜視図である。
【図９】図８のスイッチユニットの他の分解斜視図である。
【図１０】図８のスイッチユニットの組み付け状態を説明するための図である。
【図１１】図８のスイッチユニットの上面図である。
【図１２】図１１のXII-XII線から見た断面図である。
【図１３】図１１のXIII-XIII線から見た断面図である。
【発明を実施するための形態】
【００１９】
本発明に係る押しボタンスイッチの実施形態について、図１ないし図７の添付図面に従って説明する。
【００２０】
本発明の一実施形態の押しボタンスイッチ１は、図４，図５に示すように、上面が開口した箱形のベース１０と、このベース１０内に収納されたプリント基板２０、接続端子３０、回動リンク機構部４０、接点ばね５０およびプランジャ６０と、ベース１０を覆う操作カバー７０と、この操作カバー７０から突出する押しボタン８０とで構成されている。
【００２１】
ベース１０は、平面略方形で、その底面に、プリント基板２０を位置決めするための位置決め突起１１と、接続端子３０を突出させるための端子孔１２と、回動リンク機構部４０を配置するための凹部１３と、プランジャ６０を取り付けるためのプランジャ取付孔１４とを有している。
【００２２】
位置決め突起１１は、ベース１０の各隅部にそれぞれ配置されている。端子孔１２は、位置決め突起１１よりも内側に位置し、平面視において、それぞれが四角形の頂点に位置するように配置されている。凹部１３は、ベース１０の対向する一組の辺の略中央部にそれぞれ配置されている。プランジャ取付孔１４は、ベース１０の各隅部にそれぞれ配置され、位置決め突起１１よりも外側に位置している。
【００２３】
また、ベース１０は、その側面に、プランジャ６０を位置決めするための壁部１５と、操作カバー７０を取り付けるための係止突部１６とを有している。壁部１５は、対向する一組の側面の内側に突設され、凹部１３の両側にそれぞれ配置されている。係止突部１６は、壁部１５が設けられていない側面の外側の長手方向の両端部に、それぞれ突設されている。
【００２４】
プリント基板２０は、ベース１０の底面に収納可能な平面形状を有し、ベース１０の位置決め突起１１に嵌合して位置決めするための位置決め孔２１と、回動リンク機構部４０を取り付けるための切欠部２２と、接続端子３０を取り付けるための端子取付孔２３とを有している。
【００２５】
位置決め孔２１は、プリント基板２０の各隅部にそれぞれ配置されている。この位置決め孔２１にベース１０の位置決め突起１１を挿入することによって、プリント基板２０をベース１０に取り付けている。切欠部２２は、プリント基板２０をベース１０に取り付けたときにベース１０の凹部１３が露出し、回動リンク機構部４０を取り付け可能に配置されている。端子取付孔２３は、切欠部２２が設けられている辺に沿って、複数配置されている。
【００２６】
また、プリント基板２０は、その上面に、ＬＥＤ（発光ダイオード）２４と、固定接点部２５とを有している。ＬＥＤ２４は、プリント基板２０の中央部に設けられている。また、固定接点部２５は、ＬＥＤ２４の両側にそれぞれ設けられており、切欠部２２が設けられている辺に沿って配置されている。
【００２７】
接続端子３０は、図４Ｂ，図５Ｂに示すように、長手方向の両端部に設けられた取付爪部３１と、長手方向の略中央部に設けられた端子部３２とを有している。この接続端子３０は、取付爪部３１をプリント基板２０の底面側から端子取付孔２３に圧入し、折り曲げることによって、プリント基板２０の底面に固定されている。端子部３２は、図２に示すように、接続端子３０を固定したプリント基板２０をベース１０に取り付けたときに、ベース１０の端子孔１２から突出するように形成されている。
【００２８】
なお、接続端子３０は、プリント基板２０に組み付けたときに、プリント基板２０のＬＥＤ２４および固定接点部２５と電気的に接続される。
【００２９】
回動リンク機構部４０は、第１操作レバー４１と第２操作レバー４２とで構成されている。
【００３０】
第１，第２操作レバー４１，４２は、平面略コ字形状に屈曲した金属線材で、両端部にそれぞれ第１，第２連結受部４３，４４と第１，第２連結挿入部４５，４６とを有している。第１，第２連結受部４３，４４は、第１，第２連結挿入部４５，４６を挿入可能な第１，第２貫通穴４７，４８をそれぞれ有している。
【００３１】
図４，図５では、説明の便宜上、第１，第２操作レバー４１，４２をそれぞれ独立して示しているが、回動リンク機構部４０は、第１，第２操作レバー４１，４２を動作可能に連結した状態で、プリント基板２０上に配置されている。すなわち、第１操作レバー４１の第１連結受部４３の第１貫通穴４７に第２操作レバー４２の第２連結挿入部４６が挿入されている。また、第２操作レバー４２の第２連結受部４４の第２貫通穴４８に第１操作レバー４１の第１連結挿入部４５が挿入され、第１，第２連結受部４３，４４の第１，第２貫通穴４７，４８と第１，第２連結挿入部４５，４６とが同一軸心上に配置されている。そして、第１，第２連結受部４３，４４の各々が、ベース１０の凹部１３にそれぞれ位置するように配置されている。
【００３２】
なお、以下、第１，第２操作レバー４１，４２の連結部分を中間部４９という。
【００３３】
接点ばね５０は、断面視波形の板状体で、プリント基板２０のＬＥＤ２４から照射された光を通過させるためのＬＥＤ開口部５１と、接点ばね５０を回動リンク機構部４０に取り付けるためのフック部５２と、ツイン接点構造を有する可動接点部５３とを有している。
【００３４】
ＬＥＤ開口部５１は、略方形状で、接点ばね５０の中央部に配置されている。フック部５２は、図３に示すように、第１，第２操作レバーに取り付け可能な湾曲形状を有し、接点ばね５０の両端部に配置されている。このフック部５２を第１，第２操作レバー４１，４２の対向する直線部分にそれぞれ引っかけることによって、接点ばね５０を回動リンク機構部４０に取り付けている。また、可動接点部５３は、ＬＥＤ開口部５１を中心に左右対称に配置されている。この可動接点部５３は、図３に示すように、接点ばね５０に平面略コ字の切り込みを入れることにより形成され、フック部５２からＬＥＤ開口部５１に向かって次第にプリント基板２０に近づくように、斜め下方に延在している。
【００３５】
プランジャ６０は、ベース１０の内部に嵌合可能な平面形状を有すると共に、プリント基板２０および回動リンク機構部４０を被覆可能な平面形状を有し、透明樹脂材料で形成されている。このプランジャ６０は、押しボタン８０を取り付けるための突出部６１と、プランジャ６０をベース１０に取り付けるための係止突起６２と、プランジャ６０を位置決めするための溝部６３とを有している。
【００３６】
突出部６１は、図４に示すように、円板形状で、プランジャ６０の上面の中央部に配置されている。係止突起６２は、図５に示すように、プランジャ６０の底面の各隅部にそれぞれ配置されている。この係止突起６２をベース１０のプランジャ取付孔１４に係合することによって、プランジャ６０をベース１０に取り付けている。溝部６３は、ベース１０の壁部１５が嵌挿可能な形状で、対向する一組の辺にそれぞれ配置されている。
【００３７】
操作カバー７０は、図４に示すように、ベース１０の上面を覆うことが可能な平面視略方形で、カバー本体７１と、このカバー本体７１の対向する一組の辺に設けられた側壁部７２およびスイッチ取付部７３とを有している。
【００３８】
カバー本体７１は、板形状で、中央部に、押しボタン８０を操作するための操作孔７４を有している。この操作孔７４は平面視円形状で、その周縁に環状壁部７５が設けられている。側壁部７２は、カバー本体７１の対向する一組の辺の両端に一定の間隔を隔てて配置され、ベース１０の係止突部１６に係合可能なカバー取付孔７６をそれぞれ有している。図１に示すように、このカバー取付孔７６にベース１０の係止突部１６を係合することによって、操作カバー７０をベース１０に取り付けている。また、スイッチ取付部７３は、側壁部７２の間にそれぞれ配置されており、自由端の内側の先端縁部に、係止爪を有している。この係止爪を、例えば、エレベータスイッチ等の基板に設けられたスイッチ取付孔に係合することによって、押しボタンスイッチ１をエレベータスイッチ等の基板に着脱可能に取り付ける。
【００３９】
押しボタン８０は、カバー本体７１の操作孔７４に挿入可能な円筒形状を有し、透明樹脂材料で形成されている。押しボタン８０の上面には、矢印８１が描かれている。また、押しボタン８０の外周縁部には、抜け止め用の鍔部８２を設けている。なお、押しボタン８０の形状は、円形に限らず、方形等、任意の形状を採用できる。
【００４０】
次に、前記押しボタンスイッチ１の組み立て方法について説明する。
【００４１】
まず、ＬＥＤ２４および接続端子３０を実装したプリント基板２０をベース１０に組み付ける。このとき、プリント基板２０の位置決め孔２１にベース１０の位置決め突起１１を嵌挿して、プリント基板２０を位置決めする。
【００４２】
続いて、接点ばね５０を取り付けた回動リンク機構部４０をベース１０の内部に組み付ける。このとき、第１，第２操作レバー４１，４２の連結受部４３，４４がベース１０の凹部１３に位置し、接点ばね５０のＬＥＤ開口部５１がＬＥＤ２４上に位置するように配置する。
【００４３】
そして、プリント基板２０および回動リンク機構部４０を覆うように、プランジャ６０をベース１０に取り付ける。このとき、プランジャ６０の溝部６３にベース１０の壁部１５を嵌挿して、プランジャ６０を位置決めする。
【００４４】
最後に、プランジャ６０の突出部６１に押しボタン８０を組み付けた後、操作孔７４から押しボタン８０が突出するように操作カバー７０を取り付けて、組立作業が完了する。
【００４５】
次に、前記押しボタンスイッチ１の動作を、図６，図７を用いて説明する。
【００４６】
図６に示すように、押しボタンスイッチ１の復帰状態（すなわち、スイッチオフ状態）では、回動リンク機構部４０は、断面視において、中間部４９が、両端部１４１，１４２よりもプリント基板２０側に位置している。このとき、プリント基板２０の固定接点部２５と接点ばね５０の可動接点部５３とは離れており、接触していない。
【００４７】
図７に示すように、押しボタン８０を押し下げると、回動リンク機構部４０にプリント基板２０に向かって力が加えられ、両端部１４１，１４２が押し下げられる。このとき、中間部４９と第１操作レバー４１側の端部１４１との中間点１４３を支点として、第１操作レバー４１が回動する一方、中間部４９と第２操作レバー４２側の端部１４２との中間点１４４を支点として、第２操作レバー４２が回動する。これにより、両端部１４１，１４２は、復帰状態の位置（初期位置）よりも低い位置に移動する一方、中間部４９は、初期位置よりも高い位置に移動し、第１，第２操作レバー４１，４２が、断面視において略一直線になる。両端部１４１，１４２が初期位置よりも低い位置に移動する結果、接点ばね５０が押し下げられ、固定接点部２５と可動接点部５３とが接触し、動作状態（すなわち、スイッチオン状態）となる。
【００４８】
この後、押しボタン８０の押し下げを解除すると、接点ばね５０の復帰力によって両端部１４１，１４２が内側に引っ張られ、押しボタンスイッチ１は、図６に示す復帰状態に自動復帰する。
【００４９】
なお、押しボタンスイッチ１の両端部１４１，１４２には、接点ばね５０による水平方向の引っ張り力Ｆと、垂直方向の操作力ｆとが働く。この操作力ｆは、第１，第２操作レバー４１，４２の組み付け角θとしたときに、引っ張り力Ｆを水平方向の分力とする組み付け角θ方向のベクトルの垂直方向の分力に相当する。すなわち、図６に示す復帰状態の操作力ｆ１は、図７に示す動作状態の操作力ｆ２よりも大きく、復帰状態から動作状態へ移行するときに、急激に変動する。その結果、押し込み操作に対する抵抗が急激に減少し、利用者の指にクリック感が与えられる。
【００５０】
続いて、本発明のスイッチユニットについて、図８ないし図１３を用いて説明する。
【００５１】
前記スイッチユニットは、図８，図９に示すように、押しボタンスイッチ１を例えば上下に２つ並べた状態で、ベース基板１００に組み付けた後、押しボタンスイッチ１の上方からパネル１１０を取り付ける。
【００５２】
このとき、ベース基板１００のスイッチ取付孔１０１にスイッチ取付部７３を挿入し、スイッチ取付部７３の先端の係止爪により係止することで、押しボタンスイッチ１をベース基板１００に固定している。このため、押しボタンスイッチ１の接続作業と取り付け作業とを同時にできる。
【００５３】
なお、図１０に示すように、ベース基板１００には、押しボタンスイッチ１の接続端子３０の端子部３２と接触可能に配置された固定接点部１０２が設けられている。この固定接点部１０２は、接触面積が端子部３２よりも大きくなるように形成されている。
【００５４】
また、パネル１１０は、操作カバー７０の環状壁部７５の外径と略同一の径の開口部１１１を有しており、この開口部１１１から押しボタン８０が突出するように取り付けられている。
【００５５】
なお、パネル１１０は、図１０，図１１に示すように、例えば、各隅部にねじ等の固定部材を取り付けて、外部ハウジング２００等に固定される。すなわち、押しボタンスイッチ１は、パネル１１０によって位置規制される。
【００５６】
前記押しボタンスイッチ１は、ベース１０の底面から突出し、ベース基板１００に取り付けたときにベース基板１００の固定接点部１０２と接触する接続端子３０と、ベース基板１００に着脱可能に取り付けるためのスイッチ取付部７３とを備えている。このため、押しボタンスイッチ１を独立してベース基板１００に着脱することができるので、押しボタンスイッチ１のメンテナンスを容易に行える。
【００５７】
また、スイッチ取付孔１０１は、スイッチ取付部７３の長さＬ０（図８に示す）よりも大きい長さＬ１（図８に示す）を有している。また、図１２に示すように、スイッチ取付部７３の幅Ｗ０よりも大きい幅Ｗ１を有している。すなわち、押しボタンスイッチ１をベース基板１００に取り付けたときに、スイッチ取付部７３とベース基板１００との間に、ベース基板１００の延在方向に移動可能な遊びを有している。このため、押しボタンスイッチ１をベース基板１００に取り付けた後に、押しボタンスイッチ１の位置調整ができるので、押しボタンスイッチ１の位置決め精度を厳しく管理する必要がなく、押しボタンスイッチ１のパネル１１０への取り付けが容易になる。このため、製造コストを低減できる。
【００５８】
また、押しボタンスイッチ１をベース基板１００に取り付けたときに、ベース基板１００を覆うパネル１１０で位置規制されるので、スイッチ取付部７３をベース基板１００に取り付けたときにスイッチ取付部７３とベース基板１００との間に遊びを有していても、押しボタンスイッチ１の位置決め精度を高めることができる。
【００５９】
また、スイッチ取付部７３が操作カバー７０に設けられている。この操作カバー７０はベース基板１００に取り付けられるので、例えばベース１０と操作カバー７０との間の係合が解除されて、ベース１０と操作カバー７０とが固定されていなくても、操作カバー７０によってベース１０を支持できる。このため、押しボタンスイッチ１の構造を簡略化できる。
【００６０】
さらに、ベース基板１００の固定接点部１０２が、接続端子３０の端子部３２よりも大きい接触面積を有している。このため、押しボタンスイッチ１の位置を調整しても、ベース基板１００の固定接点部１０２と接続端子３０の端子部３２との間の接触状態を維持できる。その結果、接触安定性の高いスイッチユニットを得ることができる。
【００６１】
なお、接続端子３０の端子部３２の接触面積をベース基板１００の固定接点部１０２より大きくしても同様の効果が得られる。すなわち、接続端子３０の端子部３２およびベース基板１００の固定接点部１０２は、押しボタンスイッチ１をベース基板１００の延在方向に移動させても相互に接触できる接触面積を有していればよい。
【００６２】
前記押しボタンスイッチ１は、操作カバー７０にスイッチ取付部７３を設けているが、これに限らない。例えば、ベースの底面または側面にスイッチ取付部を設けてもよい。
【００６３】
また、操作カバー７０の対向する辺に一組のスイッチ取付部７３を設けているが、これに限らない。例えば、２組以上のスイッチ取付部を設けてもよいし、操作カバー７０の各辺にそれぞれスイッチ取付部を設けてもよい。
【００６４】
また、自由端部の内側の先端縁部に係止爪を有しているスイッチ取付部７３を設けているが、これに限らない。押しボタンスイッチをベース基板に取り付けたときに、スイッチ取付部とベース基板との間に、ベース基板の延在方向に移動可能な遊びを有することができれば、任意の形状および構造を採用できる。
【００６５】
前記スイッチユニットは、２つの押しボタンスイッチ１で構成されているが、これに限らない。３つ以上の押しボタンスイッチで構成してもよい。また、押しボタンスイッチ１を一列に並べて組み付ける場合に限らず、２列以上並べて組み付けてもよい。これにより、スイッチユニットの設計の自由度が広がり、様々な用途に対応できる。
【産業上の利用可能性】
【００６６】
本発明に係るスイッチユニットは、前記実施形態の押しボタンスイッチに限らず、ベース基板に対して着脱可能な押しボタンスイッチであれば、任意の押しボタンスイッチを用いることができる。
【符号の説明】
【００６７】
１  押しボタンスイッチ
１０  ベース
１１  位置決め突起
１２  端子孔
１３  凹部
１４  プランジャ取付孔
１５  壁部
１６  係止突部
２０  プリント基板
２１  位置決め孔
２２  切欠部
２３  端子取付孔
２４  ＬＥＤ
２５  固定接点部
３０  接続端子
３１  取付爪部
３２  端子部
４０  回動リンク機構部
４１  第１操作レバー
４２  第２操作レバー
４３  第１連結受部
４４  第２連結受部
４５  第１連結挿入部
４６  第２連結挿入部
４７  第１貫通穴
４８  第２貫通穴
４９  中間部
５０  接点ばね
５１  ＬＥＤ開口部
５２  フック部
５３  可動接点部
６０  プランジャ
６１  突出部
６２  係止突起
６３  溝部
７０  操作カバー
７１  カバー本体
７２  側壁部
７３  スイッチ取付部
７４  操作孔
７５  環状壁部
７６  カバー取付孔
８０  押しボタン
８１  矢印
８２  鍔部
１００  ベース基板
１０１  スイッチ取付孔
１０２  固定接点部
１１０  パネル
１１１  開口部
１４１  端部
１４２  端部
１４３  中間点
１４４  中間点
２００  外部ハウジング
【図１】
2016004767.tif 000003
【図２】
2016004767.tif 000004
【図３】
2016004767.tif 000005
【図４】
2016004767.tif 000006
【図５】
2016004767.tif 000007
【図６】
2016004767.tif 000008
【図７】
2016004767.tif 000009
【図８】
2016004767.tif 000010
【図９】
2016004767.tif 000011
【図１０】
2016004767.tif 000012
【図１１】
2016004767.tif 000013
【図１２】
2016004767.tif 000014
【図１３】
2016004767.tif 000015